(57)【要約】  無線通信システムにおいて送信機から受信機にパケットを送信するための方法が、トランスポート・フォーマット・コンビネーション（ＴＦＣ）選択プロセスによるパケットの構築で始まり、パケットが送信機から受信機に送信される。送信機が、パケットが受信機で正常に受信されなかったことの指示を受信する場合には、パケットはハイブリッド自動再送要求（ＨＡＲＱ）プロシージャを介して再送される。ＨＡＲＱプロシージャがパケットを正常に送信しなかった場合には、パケットは再送管理（ＲＭ）プロシージャを介して再送される。ＲＭプロシージャがパケットを正常に送信しなかった場合には、パケットは送信機によって破棄される。
2009513063.tif 000002
【特許請求の範囲】
【請求項１】
無線通信システムにおいて送信機から受信機にパケットを送信するための方法であって、
分割、連結、および複数のフローからのパケットの多重化を含むトランスポート・フォーマット・コンビネーション（ＴＦＣ）選択プロセスによってパケットを構築するステップと、
前記送信機から前記受信機に前記パケットを送信するステップと、
前記パケットが前記受信機で正常に受信されなかったことの指示を前記送信機で受信するステップと、
ハイブリッド自動再送要求（ＨＡＲＱ）プロシージャを介して前記送信機から前記受信機に前記パケットを再送するステップと、
前記ＨＡＲＱプロシージャが前記パケットを正常に送信しなかった場合に、再送管理（ＲＭ）プロシージャを介して前記送信機から前記受信機に前記パケットを再送するステップと、
前記ＲＭプロシージャが前記パケットを正常に送信しなかった場合に、前記送信機によって前記パケットを破棄するステップと
を備えることを特徴とする方法。
【請求項２】
前記ＲＭプロシージャは、前記ＴＦＣ選択プロセスを使用して前記パケットを再送することを含むことを特徴とする請求項１に記載の方法。
【請求項３】
前記ＴＦＣ選択を介して前記パケットを再送することは、任意的ステップであることを特徴とする請求項２に記載の方法。
【請求項４】
前記パケットは、最初の送信の試みのために前記送信機によって送信シーケンス番号（ＴＳＮ）を割り当てられ、前記パケットは、前記ＨＡＲＱプロシージャおよび前記ＲＭプロシージャ中に、同じＴＳＮを保有することを特徴とする請求項１に記載の方法。
【請求項５】
前記ＴＳＮは、無線リンク制御レベルでパケットを特定することを特徴とする請求項４に記載の方法。
【請求項６】
前記ＴＳＮは、上位レイヤシーケンス番号と多重化されたパケットのシーケンス番号との組合せであることを特徴とする請求項４に記載の方法。
【請求項７】
前記ＴＳＮは、上位レイヤシーケンス番号と分割されたパケットのシーケンス番号との組合せであることを特徴とする請求項４に記載の方法。
【請求項８】
前記ＴＳＮは、上位レイヤシーケンス番号と前記パケットの各セグメントを特定するためのバイトオフセットとの組合せであることを特徴とする請求項４に記載の方法。
【請求項９】
前記破棄するステップは、
前記送信機から前記受信機に対して前記破棄されるパケットの前記ＴＳＮを含むメッセージを送信するステップを含むことを特徴とする請求項４に記載の方法。
【請求項１０】
前記受信機は、前記送信機がパケットを前記受信機にどのように送信するかにかかわらず、単一の並べ替えバッファおよび再組み立てエンティティを使用して前記パケットを受信することを特徴とする請求項１に記載の方法。
【請求項１１】
前記ＨＡＲＱプロシージャは、前記パケットが前記受信機によって正常に受信されず、かつＨＡＲＱ再送の最大回数が所定の値未満である場合に繰り返されることを特徴とする請求項１に記載の方法。
【請求項１２】
前記ＲＭプロシージャは、前記パケットが前記受信機によって正常に受信されず、かつＲＭ再送の最大回数が所定の値未満である場合に前記パケットを再送することを特徴とする請求項１に記載の方法。
【請求項１３】
前記ＴＦＣ選択プロセスは、適応変調および符号化スキームの選択を制御することを特徴とする請求項１に記載の方法。
【請求項１４】
前記ＴＦＣ選択プロセスは、現在のチャネルの状態に基づいてコンステレーションおよび符号化スキームを選択するための再構成要求を示すことを特徴とする請求項１に記載の方法。
【請求項１５】
最初に前記パケットを送信する前に前記送信機において破棄タイマを設定するステップと、
ＲＭを介して前記パケットを再送する前に前記送信機において前記破棄タイマをチェックするステップと、
前記パケットが前記受信機に正常に送信される前に前記破棄タイマが期限切れになる場合に、前記送信機によって前記パケットを破棄するステップと
をさらに備えることを特徴とする請求項１に記載の方法。
【請求項１６】
無線通信システムにおいてパケットを受信するための方法であって、
受信機で前記パケットを受信するステップと、
並べ替えバッファおよび再組み立てエンティティに前記パケットを転送するステップと、
前記パケットの送信シーケンス番号（ＴＳＮ）を調べるステップと、
前記パケットが期待される順序で受信されたことを前記パケットの前記ＴＳＮが示す場合に、前記並べ替えバッファおよび再組み立てエンティティから上位レイヤに前記パケットを送達するステップと、
前記パケットが期待される順序で受信されなかったことを前記パケットの前記ＴＳＮが示す場合に、前記パケットが受理されるべきかどうかを判定するステップと、
前記パケットが受理される場合に、前記並べ替えバッファおよび再組み立てエンティティから上位レイヤに前記パケットを送達するステップと、
前記パケットが受理されない場合に、前記並べ替えバッファおよび再組み立てエンティティによって前記パケットを破棄するステップと
を備えることを特徴とする方法。
【請求項１７】
前記判定するステップは、前記パケットに関連する送達タイマを使用して、前記パケットが所定の期間内に受信されたかどうかを判定することを含むことを特徴とする請求項１６に記載の方法。
【請求項１８】
前記送達タイマは、前記パケットが欠落していることを前記受信機が特定するときに設定されることを特徴とする請求項１７に記載の方法。
【請求項１９】
最も最近受信されたパケットのＴＳＮが期待されるＴＳＮでない場合に、前記パケットは欠落していることを特徴とする請求項１８に記載の方法。
【請求項２０】
前記パケットが受信される前に前記送達タイマが期限切れになる場合は、前記パケットが受理されないことを特徴とする請求項１７に記載の方法。
【請求項２１】
無線通信システムにおけるパケットの再送管理のためのシステムであって、
送信機であって、
多重化装置と、分割および連結エンティティと、を含むトランスポート・フォーマット・コンビネーション（ＴＦＣ）セレクタと、
前記ＴＦＣセレクタに接続された送信バッファと、
前記ＴＦＣセレクタおよび前記送信バッファに接続された第１の再送管理（ＲＭ）プロセッサと、
前記送信バッファおよび前記第１のＲＭプロセッサに接続された第１のハイブリッド自動再送要求（ＨＡＲＱ）プロセッサと
を含む送信機と、
受信機であって、
第２のＨＡＲＱプロセッサと、
前記第２のＨＡＲＱプロセッサに接続された並べ替えバッファおよび再組み立てエンティティと、
前記並べ替えバッファおよび再組み立てエンティティに接続された第２のＲＭプロセッサと
を含む受信機と
を備えることを特徴とするシステム。
【請求項２２】
前記送信機の前記ＴＦＣセレクタ、前記送信バッファ、前記第１のＲＭプロセッサ、および前記第１のＨＡＲＱプロセッサは、単一の通信レイヤの一部であることを特徴とする請求項２１に記載のシステム。
【請求項２３】
前記受信機の前記第２のＲＭプロセッサと前記並べ替えバッファおよび再組み立てエンティティとは、単一の通信レイヤの一部であることを特徴とする請求項２１に記載のシステム。
【請求項２４】
前記送信機の前記ＴＦＣセレクタおよび前記第１のＲＭプロセッサは第１の通信サブレイヤの一部であり、
前記送信機の前記送信バッファおよび前記第１のＨＡＲＱプロセッサは第２の通信サブレイヤの一部である
ことを特徴とする請求項２１に記載のシステム。
【請求項２５】
前記第１の通信サブレイヤは無線リンク制御サブレイヤであり、
前記第２の通信サブレイヤは媒体アクセス制御サブレイヤである
ことを特徴とする請求項２４に記載のシステム。
【請求項２６】
前記受信機の前記並べ替えバッファおよび再組み立てエンティティと前記第２のＲＭプロセッサとは、第１の通信サブレイヤの一部であり、
前記受信機の前記第２のＨＡＲＱプロセッサは第２の通信サブレイヤの一部である
ことを特徴とする請求項２１に記載のシステム。
【請求項２７】
前記第１の通信サブレイヤは無線リンク制御サブレイヤであり、
前記第２の通信サブレイヤは媒体アクセス制御サブレイヤである
ことを特徴とする請求項２６に記載のシステム。
【請求項２８】
無線通信システムにおいて送信機から受信機へのデータ送信を中断するための方法であって、
中断条件が存在するかどうかを前記送信機において判定するステップと、
前記中断条件が存在する場合に前記送信機から前記受信機へのデータ送信を中断するステップと、
再開条件が存在するかどうかを前記受信機において判定するステップと、
前記再開条件が存在する場合に前記送信機から前記受信機へのデータ送信を再開するステップと
を備えることを特徴とする方法。
【請求項２９】
前記中断するステップは、
上位レイヤに前記中断された送信を通知するステップと、
前記受信機へのデータ送信を中断するように再送機能に通知するステップと
を含むことを特徴とする請求項２８に記載の方法。
【請求項３０】
前記再開するステップは、
前記受信機へのデータ送信を再開するように再送機能に通知するステップ
を含むことを特徴とする請求項２８に記載の方法。
【請求項３１】
前記受信機へのデータ送信に対して、最も小さなコンステレーションおよび最も高い符号化率が割り当てられる場合に、中断条件が存在することを特徴とする請求項２８に記載の方法。
【請求項３２】
前記受信機に関する報告されたチャネル品質インジケータが所定の値未満である場合に中断条件が存在することを特徴とする請求項２８に記載の方法。
【請求項３３】
ハイブリッド自動再送要求プロシージャを介した所定回数の再送の後で前記送信機が送信データに関する肯定応答を受信しない場合に、中断条件が存在することを特徴とする請求項２８に記載の方法。
【請求項３４】
再送管理プロシージャを介した所定回数の再送の後で前記送信機が送信データに関する肯定応答を受信しない場合に、中断条件が存在することを特徴とする請求項２８に記載の方法。
【請求項３５】
前記受信機に送信された所定の数の連続するパケットがハイブリッド自動再送要求送信を介して肯定応答を送られない場合に、中断条件が存在することを特徴とする請求項２８に記載の方法。
【請求項３６】
ハイブリッド自動再送要求送信を介して肯定応答を受信しないパケットの数が所定の期間中に所定の値を超える場合に、中断条件が存在することを特徴とする請求項２８に記載の方法。
【請求項３７】
前記中断するステップは、前記受信機に関する中断タイマを設定することを含むことを特徴とする請求項２８に記載の方法。
【請求項３８】
前記受信機に関する前記中断タイマが期限切れになった場合に再開条件が存在することを特徴とする請求項３７に記載の方法。
【請求項３９】
前記中断ステップは、前記送信機において前記受信機に関する現在のチャネル品質インジケータ（ＣＱＩ）を保存することを含むことを特徴とする請求項２８に記載の方法。
【請求項４０】
前記中断された受信機に関する現在のＣＱＩ値が所定の値を超える場合に再開条件が存在することを特徴とする請求項３９に記載の方法。
【請求項４１】
前記所定の値が絶対的な値であることを特徴とする請求項４０に記載の方法。
【請求項４２】
前記所定の値が前記保存されたＣＱＩ値に基づく相対的な値であることを特徴とする請求項４０に記載の方法。
【発明の詳細な説明】
【技術分野】
【０００１】
本発明は、概してハイブリッド自動再送要求（ＨＡＲＱ：hybrid automatic repeat request）を用いた再送を使用する無線通信システムに関し、より詳細には、複雑性および不必要な遅延のない、ＨＡＲＱメカニズムを用いた信頼性の高いパケットの送達を提供するための技術に関する。
【背景技術】
【０００２】
図１は、高速ダウンリンク／アップリンクパケットアクセス（ＨＳＤＰＡ／ＨＳＵＰＡ：high speed downlink/uplink packet access）技術を用いて高速データ送信が実行されることができる現在のＷＣＤＭＡシステム（例えば、ＷＣＤＭＡ  Ｒｅｌｅａｓｅ５／６）のための再送プロトコル１００を示す。データ送信の信頼性を向上するために、その再送プロトコル１００において複数の再送ループ（retransmission loops）が有効化される。
【０００３】
プロトコル１００は、ユーザ端末（ＵＥ：user equipment）１０２、ノードＢ １０４、および無線ネットワークコントローラ（ＲＮＣ：radio network controller）１０６を利用する。ＵＥ １０２は、物理（ＰＨＹ:physical）レイヤ１１０、媒体アクセス制御（ＭＡＣ:medium access control）レイヤ１１２、および無線リンク制御（ＲＬＣ:radio link control）レイヤ１１４を含む。ノードＢ １０４は、ＰＨＹレイヤ１２０およびＭＡＣレイヤ１２２を含む。ＲＮＣ １０６は、ＭＡＣレイヤ１３０およびＲＬＣレイヤ１３２を含む。
【０００４】
最初に、ＨＡＲＱプロセス１４０は、ＵＥ １０２とノードＢ １０４との間でＭＡＣレイヤ１１２、１２２において動作する。パケットは、送信機のＨＡＲＱエンティティにおいて連続的な送信シーケンス番号（ＴＳＮ：transmission sequence numbers）を割り当てられる。受信機において、対応するＨＡＲＱエンティティが、パケットの送信を受信し、各送信パケットを復号化および復元するように試みる。受信機のＨＡＲＱエンティティは、復元されたパケットを適切な順序でより高いレイヤに提供するタスクを担う。個々のパケットは送達に成功するために異なる回数の再送を必要とする可能性があるので、パケットをバッファおよび並べ替えするために受信機において並べ替えエンティティが使用される。
【０００５】
パケットが正しく復号化されないとき、受信機は、パケットの再送を開始するために否定応答（ＮＡＣＫ：negative acknowledgement）を送信機に送信する。パケットが正しく復号化される場合には、受信機は、対応するパケットに関する肯定応答（ＡＣＫ）を送信する。ＮＡＣＫを受信すると、送信機は、ＨＡＲＱパケットに対する許可された再送の回数が所定の最大値未満である場合は対応するパケットを再送する。ＨＡＲＱパケットに対する許可された再送の回数が所定の最大値以上である場合、パケットはＨＡＲＱプロセスによって破棄され、パケットの再送は、ＵＥ １０２とＲＮＣ １０６との間でＲＬＣレイヤ１１４、１３２においてＡＲＱプロセス１４２によって処理される。
【０００６】
パケットは、ＨＡＲＱプロセスの復号化の失敗、またはノードＢ １０４とＲＮＣ １０６との間のパケットの損失が原因で受信機側のＲＬＣレイヤ（すなわち、ＵＥ １０２またはＲＮＣ １０６のＲＬＣレイヤ）において正しく受信されない可能性がある。これらの状況を補償するために、ＡＲＱプロセス１４２が、ＵＥ １０２とＲＮＣ １０６との間でＲＬＣレイヤ１１４、１３２に提供される。パケットはＴＳＮと同様に送信機のＲＬＣエンティティにおいてシーケンス番号（ＳＮ：sequence number）を割り当てられ、パケットは、送信機が受信機から当該パケットに関するＡＣＫを受信するまで再送バッファに保持される。
【０００７】
送信機のＲＬＣが欠落しているパケットを再送するか、または正しく送信されたパケットを再送バッファから削除することができるように、受信機のＲＬＣは、ＡＣＫまたはＮＡＣＫを含むステータスプロトコルデータユニット（ＰＤＵ：protocol data unit）を生成し、それらのＰＤＵを送信機に送信する。一部のパケットは、ＲＬＣレイヤにおける数回の再送の試みの後に、または当該パケットに関するパケット破棄タイマが期限切れになる前に、正しく受信されない可能性がある。そのとき、送信機のＲＬＣはパケットを破棄し、上位レイヤおよび受信機に通知する。受信機のＲＬＣレイヤは、受信パケットを並べ替え、欠落しているパケットに関するプロシージャ（procedure）を開始する。
【発明の開示】
【発明が解決しようとする課題】
【０００８】
本発明は、第３世代パートナーシッププロジェクト（３ＧＰＰ）ロングタームエボリューション（ＬＴＥ：long term evolution）において仕様を定められたシステムなどの今後の無線通信システムに適用可能な再送管理に関するが、信頼性の高いパケットの再送を提供するその他の種類の無線通信システムにも適用可能である。より具体的には、本発明は、損失またはエラーのない信頼性の高いパケットの受信のための、送信機／受信機（例えば、無線送受信ユニット（ＷＴＲＵ：wireless transmit/receive unit）または基地局）およびエージェント（例えば、ＲＮＣ）の再送管理に関する。
【課題を解決するための手段】
【０００９】
本発明は、単純な再送スキームを用いた信頼性の高いデータパケットの送達を提供するための再送管理技術、ならびに今後の通信システム（例えば、ＬＴＥ）のＲＬＣレイヤにおけるステータス報告の複雑性、レイテンシ、およびオーバヘッドを削減するための再送管理技術を導入する。この再送スキームは、ＲＬＣレイヤからのパケットの再送における遅延を取り除くことによってパケットのレイテンシを削減する。レイヤ２（ＲＬＣおよびＭＡＣ）シグナリングのオーバヘッドもまた、ＭＡＣ  ＨＡＲＱとＲＬＣ確認モード（ＡＭ：acknowledged mode）との間の重複するシグナリングを取り除くことによって削減される。ピアツーピアのＲＬＣレイヤ間で送信されるステータスＰＤＵもまた、そのステータスＰＤＵがシグナリングにおいて無視できない負担であり、かつスペクトル効率を悪化させるので、一要素である。
【００１０】
このスキームは、ＭＡＣレイヤとＲＬＣレイヤとの間の並べ替えバッファおよび送信バッファなどの重複する機能を取り除くことによって実装を簡素化する。ＲＬＣレイヤの機能をＭＡＣレイヤに組み込むＭＡＣ＋レイヤが導入される。未処理の送信を同期するためにシーケンス番号の１つの集合だけが使用される（すなわち、送信されたが肯定応答されていない送信の番号）。トランスポートチャネルの送信時間間隔（ＴＴＩ：transmission time interval）毎に適用される１つのＬＴＥ  ＭＡＣ＋  ＰＤＵ制御ヘッダを許可するために、さらに本発明は、送信の順序付け、多重化、分割、連結、およびパディングが、既存のＲＬＣ ＡＭの動作のようにＴＦＣ（トランスポート・フォーマット・コンビネーション）選択の前ではなく、ＬＴＥ−ＴＦＣ選択のときに実行されることを提案する。送信の順序付け、多重化、分割、および連結に関するＬ２制御シグナリングは、それぞれの選択されたＬＴＥ−ＴＦＣに対してマッピングされたトランスポートチャネル毎に１回適用される。
【００１１】
無線通信システムにおいて送信機から受信機にパケットを送信するための方法は、トランスポート・フォーマット・コンビネーション（ＴＦＣ）選択プロセスによるパケットの構築で始まり、パケットが送信機から受信機に送信される。送信機のＨＡＲＱエンティティが、パケットが受信機で正常に受信されなかったことの指示を受信する場合には、パケットはＨＡＲＱプロシージャを介して再送される。ＨＡＲＱプロシージャがパケットを正常に送信しなかった場合には、パケットは再送管理（ＲＭ：retransmission management）プロシージャを介して再送される。ＲＭプロシージャがパケットを正常に送信しなかった場合には、パケットは送信機によって破棄される。
【００１２】
無線通信システムにおいてパケットを受信するための方法は、受信機のＨＡＲＱエンティティによるパケットの正常な受信で始まる。パケットは、並べ替えバッファおよび再組み立てエンティティに転送され、そこでパケットのＴＳＮが調べられる。パケットのＴＳＮが、パケットが期待される順序で受信されたことを示す場合には、パケットは上位レイヤに送達される。パケットはまた、順序誤りタイマ（Ｔ＿ｄｅｌｉｖｅｒ）が期限切れになる場合に、上位レイヤに送達される。パケットは、受信パケットのＴＳＮが期待されるＴＳＮ未満である場合には、並べ替えバッファおよび再組み立てエンティティによって破棄されることができる。
【００１３】
無線通信システムにおけるパケットの再送管理のためのシステムは、送信機および受信機を含む。送信機は、分割／連結プロセッサおよび多重化装置を有するＴＦＣセレクタと、多重化装置に接続された送信バッファと、ＴＦＣセレクタに接続されたＲＭプロセッサと、送信バッファおよびＲＭプロセッサに接続されたＨＡＲＱプロセッサとを含む。受信機は、ＨＡＲＱプロセッサと、ＨＡＲＱプロセッサに接続された並べ替えバッファおよび再組み立てエンティティと、ＲＭエンティティとを含む。
【００１４】
無線通信システムにおいて送信機から受信機へのデータ送信を中断する方法は、送信機において中断条件が存在するかどうかを判定することで始まる。中断条件は、例えば、不良なチャネルの状態、またはハンドオーバが原因で存在する可能性がある。中断条件が存在する場合には、送信機から受信機へのデータ送信は中断される。受信機において再開条件が存在するかどうかの判定がなされ、再開条件が存在する場合には、送信機から受信機へのデータ送信が再開される。
【００１５】
本発明のより詳細な理解は、例として与えられる、添付の図面と併せて理解されるべき好ましい実施形態の以下の説明から得られるであろう。
【発明を実施するための最良の形態】
【００１６】
以後、ユーザ端末（ＵＥ）は、無線送受信ユニット（ＷＴＲＵ）、移動局、固定もしくは移動加入者ユニット、ページャ、または無線環境内で動作可能な任意のその他の種類の装置を含むがこれらに限定されない。以降で言及されるとき、基地局は、ノードＢ、拡張ノードＢ（ｅノードＢ）、サイトコントローラ、アクセスポイント、または無線環境内の任意のその他の種類のインターフェース装置を含むがこれらに限定されない。
【００１７】
本発明は、「再送管理（ＲＭ）を伴うＨＡＲＱ」と呼ばれる再送ループを含むプロトコルアーキテクチャを導入する。提案される無線インターフェースは、ＷＴＲＵと基地局との間でユーザプレーンに関する２つのプロトコルレイヤ、すなわち、ＰＨＹレイヤおよびＭＡＣレイヤにレイヤ化される。本発明はＲＬＣレイヤを含まず、３ＧＰＰ  Ｒｅｌｅａｓｅ５／６におけるＲＮＣのＲＬＣレイヤの機能はＭＡＣレイヤに統合され、本明細書においては「ＭＡＣ＋」レイヤと呼ばれる。ＭＡＣ＋レイヤは、３ＧＰＰ  Ｒｅｌｅａｓｅ５／６における既存のＲＬＣレイヤと同様のデータ送信モード（例えば、透過モード（ＴＭ：transparent mode）、非確認モード（ＵＭ：unacknowledged mode）、および確認モード（ＡＭ））のサポートを提供する。
【００１８】
図２は、ＭＡＣ＋レイヤに関するプロトコル構造２００を示し、再送に関連するエンティティのみが本明細書において検討される。構造２００は、ＵＥ ２０２およびノードＢ ２０４を含む。ＵＥ ２０２は、ＰＨＹレイヤ２１０およびＭＡＣ＋レイヤ２１２を含む。ノードＢは、ＰＨＹレイヤ２２０およびＭＡＣ＋レイヤ２２２を含む。ＭＡＣ＋レイヤ２１２、２２２は、再送以外の機能を処理するための追加的なエンティティを含むことができる。構造２００と３ＧＰＰ  Ｒｅｌｅａｓｅ５／６との間の１つの違いは、構造２００にはＲＬＣレイヤのＡＲＱプロセスが存在しないことであり、ＨＡＲＱプロセスによる再送が信頼性の高いデータの送達のために修正される。好ましくは、ＨＡＲＱプロセスにおける追加的な再送ループが送信機によって提供され、再送管理（ＲＭ）２２４によって処理される。インナーループプロセスがＨＡＲＱの再送を指示し、アウターループプロセスがＲＭによって処理される再送を指示する。
【００１９】
図３は、ＭＡＣ＋レイヤプロトコルに従って通信する送信機３０２および受信機３０４を含むシステム３００の構成図である。ダウンリンク信号においては、基地局が送信機であり、ＵＥが受信機である。アップリンク信号に関しては、ＵＥが送信機であり、基地局が受信機である。
【００２０】
送信機３０２は、ＴＦＣセレクタ（パケットサイズセレクタ）３１０と、分割／連結プロセッサ３１２と、多重化装置（ＭＵＸ）３１４と、送信バッファ３１６と、再送管理（ＲＭ）プロセッサ３１８と、ＨＡＲＱエンティティ３２０とを含む。分割／連結プロセッサ３１２およびＭＵＸ３１４は、ＴＦＣセレクタ３１０内に配置される。受信機３０４は、ＨＡＲＱエンティティ３３０と、並べ替えバッファおよび再組み立てエンティティ３３２と、ＲＭプロセッサ３３４とを含む。ＨＡＲＱエンティティ３２０、３３０は、ＨＡＲＱプロセス３４０を介して互いに通信し、送信機３０２および受信機３０４は制御信号３４２を介して互いに通信する。
【００２１】
ＴＦＣセレクタ３１０は、ＴＴＩにおいて多重化されるデータフローとパケットサイズとを決定する。パケットは、再送データおよび／または新しいデータで構成される可能性がある。各データフローは、そのデータフロー独自の分割／連結プロセッサ３１２を有し、ＵＥ毎に１つのＭＵＸ３１４だけが存在する。分割／連結プロセッサ３１２は、上位レイヤからのデータを、ＴＦＣセレクタ３１０によって指定されたユニットとして分割および連結する。ＭＵＸ３１４は、ＴＦＣセレクタ３１０によって指定されるように、上位レイヤからのパケットの異なるフローの多重化を実行する。送信バッファ３１６は、パケットをＨＡＲＱエンティティ３２０に送信する前にＴＴＩよりも短い間それらのパケットを記憶する。ＨＡＲＱプロセス３４０によって正しく送信することができなかったパケットは、ＲＭプロセッサ３１８からの判断に基づいて再送されることができ、新しい送信よりも高い優先度を有することができる。
【００２２】
各パケットはＴＳＮと関連付けられる。ＴＳＮは新しいパケットに対して生成され、再送パケットはその再送パケットの元のＴＳＮを保有することができる。ＴＳＮは、送信および再送のために送信機３０２によって各パケットに割り当てられる識別情報であり、パケットの並べ替えのために受信機３０４によって使用される。したがって、ＴＳＮは、上位レイヤシーケンス番号と多重化または分割されたパケットのシーケンス番号との組合せであることができる。ＴＳＮは、上位レイヤシーケンス番号と上位レイヤパケットの各セグメントを特定するためのバイトオフセットとの組合せであることもできる。
【００２３】
ＨＡＲＱエンティティ３２０は、送信機３０２におけるＨＡＲＱ機能を処理する。複数のＨＡＲＱプロセスがＨＡＲＱエンティティ３２０によってサポートされることができる。ＨＡＲＱプロトコルにおいて、送信機３０２は、再送の前にパケットに関する受信機３０４からのＡＣＫを待つ。ＨＡＲＱプロセス３４０による最大再送回数はＮ＿ＨＡＲＱと表記され、この最大再送回数は所定の値であるか、または上位レイヤによって、もしくはＲＭプロセッサ３１８によって設定される変更可能な値である可能性がある。Ｎ＿ＨＡＲＱは、レイテンシおよびブロック誤り率（ＢＬＥＲ：block error rate）の目標に関する特定のサービス品質（ＱｏＳ：quality of service）要件に関連するデータフロー（送信内部で多重化されるデータ）に基づく。ＨＡＲＱエンティティ３２０は、パケットが正常に送信されたか否かをＲＭプロセッサ３１８に通知する。
【００２４】
ＲＭプロセッサ３１８は、ＨＡＲＱプロセス３４０による正常な送信に失敗するパケットに関するアウターループ再送を管理する。ＨＡＲＱ送信中の失敗したパケットは、ＲＭプロセッサ３１８によって保持されることができる。ＲＭプロセッサ３１８は、ＴＦＣセレクタ３１０に指示を送信し、そのＴＦＣセレクタ３１０はこの情報を使用して新しいパケットを構築する。最大アウターループ再送回数Ｎ＿ＤＡＴは、ＲＭプロセッサ３１８によって、もしくは上位レイヤによって設定および変更されることができるか、または各データの種類に対して予め決められることができる。ＴＦＣセレクタ３１０は、適応変調および符号化スキームの選択を制御することができる。別の可能性は、ネットワーク内の集中的なエンティティが、チャネルの状態に従って選択される適切なコンステレーション（信号点配置：constellation）および符号化スキームを示すことである。
【００２５】
別の実施形態において、送信機３０２と受信機３０４の間の制御信号３４２は、ステータス情報を含む。送信機３０２は、その送信機がパケットを破棄するときにステータス情報（破棄されるパケットのＴＳＮ）を送信し、それによって受信機３０４は、破棄されるパケットを受信するのを待つことなしに受信パケットを上位レイヤに送達する。受信機３０４によって送信される制御信号は、受信パケットのステータスを送信する。ＡＣＫ／ＮＡＣＫフィードバックを直ちに送信する代わりに、ＨＡＲＱパケットの受信を示すためにステータス生成信号が使用されることもできる。
【００２６】
別の可能性は、ＴＳＮを制御情報の一部として、各ＨＡＲＱプロセスのために無線で送信することである。したがって、ＨＡＲＱ送信機は、ＴＳＮによってＨＡＲＱプロセスにおいてパケットを特定する。ＨＡＲＱ受信機は、喪失したＨＡＲＱパケットを特定するために、およびＡＣＫ／ＮＡＣＫの指示のためにＴＳＮを使用することができる。
【００２７】
受信機３０４において、ＨＡＲＱエンティティ３３０はパケットを受信し、当該パケットを並べ替えバッファおよび再組み立てエンティティ３３２に転送する。並べ替えバッファおよび再組み立てエンティティ３３２は、パケットが受信され、各パケットのＴＳＮに基づいた適切な順序であることを保証する。並べ替えバッファおよび再組み立てエンティティ３３２は、連結されたパケットを構築し、それらのパケットを並べ替える。パケットは、そのパケットが期待される順序で受信される場合、または順序誤りタイマが期限切れになる場合に上位レイヤに送信される。
【００２８】
図４は、ＲＬＣサブレイヤにＴＦＣ選択を含むプロトコルアーキテクチャ４００の構成図である。アーキテクチャ４００は、送信機４０２および受信機４０４に関連して実装されることができる。送信機４０２は、ＨＡＲＱエンティティ４１２および送信バッファ４１４を有するＭＡＣサブレイヤ４１０と、ＭＵＸ４２２、分割／連結プロセッサ４２４、およびＲＭプロセッサ４２６を有する、ＴＦＣ選択を伴うＲＬＣサブレイヤ４２０とを含む。この場合、ＲＬＣサブレイヤ４２０は、ＴＴＩ毎にＴＦＣ選択を実行し、ＭＡＣサブレイヤ４１０からの指示に基づいて再送を管理する。受信機４０４は、ＨＡＲＱエンティティ４３２を有するＭＡＣサブレイヤ４３０と、並べ替えバッファおよび再組み立てエンティティ４４２ならびにＲＭプロセッサ４４４を有するＲＬＣサブレイヤ４４０と、を含む。
【００２９】
以下のＲＭタイマは、ＲＬＣサブレイヤ４２０、４４０によって、またはＲＭプロセッサ４２６、４４４によって実装されることができる。
【００３０】
Ｔ＿ｄｉｓｃａｒｄは、パケットの生存期間（lifetime）を数えるタイマである。タイマは、パケットが送信機４０２に到着するときに開始し、ＴＴＩ毎にインクリメントされるか、または（以下で定義される）所定の値Ｔ＿ｄｉｓｃａｒｄ＿ｔｈからデクリメントされることができる。
【００３１】
Ｔ＿ｓｕｓｐｅｎｄは、ＲＭプロセッサ４２６が受信機４０４へのデータ送信を中断した後でＴＴＩ毎にインクリメントされるタイマである。
【００３２】
Ｔ＿ｄｅｌｉｖｅｒは、受信機４０４の並べ替えバッファおよび再組み立てエンティティ４４２に存在するタイマであり、欠落しているパケットを検出した後で開始する。
【００３３】
以下のＲＭパラメータは、データの種類または優先度に応じて上位レイヤによって、またはＲＭプロセッサ４２６、４４４によって設定されることができる。非リアルタイムサービスと比較して、例えばテレビ電話において、時間に依存するデータはより低い閾値を有する可能性がある。
【００３４】
Ｔ＿ｄｉｓｃａｒｄ＿ｔｈは、データパケットが送信機４０２に保持される最大時間である。データパケットは、Ｔ＿ｄｉｓｃａｒｄタイマがＴ＿ｄｉｓｃａｒｄ＿ｔｈを超えると破棄される。
【００３５】
Ｔ＿ｓｕｓｐｅｎｄ＿ｔｈは、ＲＭプロセッサ４２６によるデータ中断の最大継続時間であり、ＲＭプロセッサ４２６は、受信機４０４へのデータ送信を中断し、タイマＴ＿ｓｕｓｐｅｎｄがＴ＿ｓｕｓｐｅｎｄ＿ｔｈを超えるときに送信を再開することができる。
【００３６】
Ｔ＿ｄｅｌｉｖｅｒ＿ｔｈは、欠落しているパケットに関する最大待ち時間である。受信機４０４の並べ替えバッファおよび再組み立てエンティティ４４２は、欠落しているパケットがＴ＿ｄｅｌｉｖｅｒ＿ｔｈの期間内に送達されない場合には、順序通りではない受信パケットを送達する。
【００３７】
Ｎ＿ＨＡＲＱ＿ＲＥＴＸは、ＨＡＲＱプロセスによる最大再送回数である。
【００３８】
Ｎ＿ＲＭ＿ＲＥＴＸは、ＲＭプロセッサ４２６からの再送（アウターループ再送）の最大回数である。パケットがＲＭプロセッサ４２６によって送信されるようにスケジューリングされる度にカウンタがインクリメントされる。
【００３９】
Ｔ＿ｓｔｏｐは、データ送信を中断する継続時間である。この継続時間中の失敗したパケットの数が所定の値を超える場合、ＲＭプロセッサ４２６は、受信機４０４へのデータ送信を中断することができる。
【００４０】
以下は、ＨＡＲＱに関連するアウターループ再送の方法を説明する。送信機４０２は、受信機４０４からのステータスＰＤＵ（すなわち、ＡＣＫまたはＮＡＣＫ）を交換することなしに、ＲＭまたはＲＬＣによって前のＨＡＲＱ送信の失敗したパケットを再送する。ＨＡＲＱ送信を介して正しく送信されなかったパケットは、再送のためにＲＬＣサブレイヤ４２０に送信される。好ましくは、再送パケットは、以前にスケジューリングされたことのない新しいパケットよりも高い優先度を有する。代替として、再送パケットは新しいパケットと同じ優先度を有し、送信キューの最後にバッファリングされる。
【００４１】
別の実装において、送信バッファ４１４は、たとえパケットがＨＡＲＱによって正常に送信されないとしても送信キューからパケットを取り去る。全てのパケットはＲＭプロセッサ４２６によって保存され、再送のために送信バッファ４１４に送信されることができる。
【００４２】
さらに、ＲＭプロセッサ４２６またはＲＬＣサブレイヤ４２０は、パケットに要求されるＱｏＳに応じてパケットに関するアウターループ再送回数を決定する能力を有する。３ＧＰＰ  Ｒｅｌｅａｓｅ５／６において、ＲＬＣレイヤは、異なるモード、すなわち、透過モード（ＴＭ）、非確認モード（ＵＭ）、および確認モード（ＡＭ）用に異なるエンティティを有する。ＲＬＣサブレイヤ４２０は、ＡＭモードのデータ送信のためにのみＨＡＲＱプロセスを動作させる。
【００４３】
受信機の並べ替えバッファおよび再組み立てエンティティ４４２は、並べ替えおよび復元することなしに、または順番通りにパケットを上位レイヤに送達することができる。並べ替えおよび復元することなしにパケットを送達するときには、並べ替えバッファおよび再組み立てエンティティ４４２は、再組み立て後直ちに受信パケットを上位レイヤに送る。順番通りにパケットを送達するときには、並べ替えバッファおよび再組み立てエンティティ４４２は、受信パケットを並べ替え、欠落しているパケットがＴ＿ｄｅｌｉｖｅｒ中に受信されることができるまで待つ。Ｔ＿ｄｅｌｉｖｅｒが期限切れになった後、欠落しているパケットは破棄されることができ、並べ替えバッファおよび再組み立てエンティティ４４２は残りのパケットを順序通りに送達する。
【００４４】
ＲＬＣサブレイヤ４２０は、特定の受信機４０４へのデータ送信に関する変調および符号化率を制御する能力を有する。ＲＬＣサブレイヤ４２０は、チャネルの状態、パケット失敗率（packet failure rate）、ＭＩＭＯ技術などに基づいてＴＦＣ選択と共に変調のコンステレーション／符号化率を決定する。
【００４５】
図５Ａおよび５Ｂは、送信機５０２および受信機５０４で実装される再送方法５００の流れ図である。方法５００は、送信機５０２がパラメータを設定することから始まる（ステップ５１０）。パケットが送信機に到着し（ステップ５１２）、送信機がタイマＴ＿ｄｉｓｃａｒｄを開始する（ステップ５１４）。ＴＦＣ選択に基づいてパケットが構築され、ＴＳＮがパケットに割り当てられる（ステップ５１６）。次に、パケットが受信機５０４に送信される（ステップ５１８）。
【００４６】
受信機５０４において、パケットが正常に受信されたかどうかの判定がなされる（ステップ５２０）。パケットが正常に受信されなかった場合、受信機はＮＡＣＫを送信機に送信する（ステップ５２２）。送信機５０２でＮＡＣＫを受信した後、パラメータＮ＿ＨＡＲＱ＿ＲＥＴＸによって、ＨＡＲＱ送信回数が許可される再送の最大回数を超えているかどうかの判定がなされる（ステップ５２４）。現在のＨＡＲＱ送信回数が最大回数未満である場合、パケットが前のＨＡＲＱプロセスを介して再送され（ステップ５２６）、方法は上述のようにパケットを送信することによって継続する（ステップ５１８）。
【００４７】
ＨＡＲＱ送信回数が許可される再送の最大回数を超える場合（ステップ５２４）、タイマＴ＿ｄｉｓｃａｒｄが、当該タイマが期限切れになっているかどうかを判定するために閾値Ｔ＿ｄｉｓｃａｒｄ＿ｔｈと比較される（ステップ５２８）。タイマＴ＿ｄｉｓｃａｒｄが期限切れになっている場合には、送信機５０２はパケットを破棄する（ステップ５３０）。破棄メッセージが、破棄されるパケットのＴＳＮと共に受信機５０４に送信される（ステップ５３２）。破棄メッセージは、破棄されるパケットのＴＳＮ、および／または当該破棄されるパケットに続いて破棄される連続するパケットの数を含むことができる。破棄メッセージを受信すると、受信機５０４の並べ替えバッファおよび再組み立てエンティティが、（当該破棄されるパケットなしに）順序通りではないパケットを上位レイヤに送達し（ステップ５３４）、受信機５０４は次のパケットを待つ（ステップ５２０）。
【００４８】
破棄タイマＴ＿ｄｉｓｃａｒｄが期限切れになっていない場合（ステップ５２８）、アウターループ（ＲＭ）再送を実行するかどうかの判定がなされる（ステップ５３８）。ＲＭ再送プロセスが実行されるべきでない場合、パケットが破棄され（ステップ５３０）、方法が上述のように継続する。
【００４９】
ＲＭ再送が実行されるべきである場合（ステップ５３８）、現在のＲＭ再送回数が、許可される送信の最大回数Ｎ＿ＲＭ＿ＲＥＴＸと照合される（ステップ５４０）。アウターループ再送に関するパラメータＮ＿ＲＭ＿ＲＥＴＸは、以下のプロトコルに従ってゼロまたは非ゼロの値に設定される。Ｎ＿ＲＭ＿ＲＥＴＸ＝０に対して、アウターループ再送はなく、ＲＭプロセッサはＨＡＲＱプロセスによって正常に送信されなかったパケットを再送せず、パケットが破棄される。ＲＭプロセッサは、３ＧＰＰ  Ｒｅｌｅａｓｅ５／６における透過モード（ＴＭ）または非確認モード（ＵＭ）として構成されたパケットに対するＮ＿ＲＭ＿ＲＥＴＸを設定することができる。Ｎ＿ＲＭ＿ＲＥＴＸが非ゼロの値であるとき、各データパケットは、ネットワークによって設定されたＮ＿ＲＭ＿ＲＥＴＸの異なる値を有する可能性がある。概して、時間に依存するデータに対してはＮ＿ＲＭ＿ＲＥＴＸの小さな値が選択される。
【００５０】
現在のＲＭ再送回数が閾値を超える場合には、パケットが破棄され（ステップ５３０）、方法が上述のように継続する。現在のＲＭ再送回数が閾値未満である場合（ステップ５４０）、パケットが上述のようにＴＦＣ選択を介して再送される（ステップ５１６）。
【００５１】
受信機がパケットを正常に受信する場合（ステップ５２０）、ＡＣＫが送信機５０２に送信され、パケットが並べ替えバッファおよび再組み立てエンティティに転送される（ステップ５４２）。受信パケットが、そのパケットのＴＳＮが次の期待されるＴＳＮ（すなわち、次の順次的パケット）であるかどうかを判定するためにチェックされる（ステップ５４４）。ＴＳＮが次の期待されるＴＳＮである場合には、タイマＴ＿ｄｅｌｉｖｅｒがゼロにリセットされ（ステップ５４６）、並べ替えバッファおよび再組み立てエンティティが全ての順序通りのパケットを上位レイヤに送達し（ステップ５４８）、受信機５０４は次のパケットを待つ（ステップ５２０）。
【００５２】
ＴＳＮが次の期待されるＴＳＮでない場合には（ステップ５４４）、ＴＳＮが次の期待されるＴＳＮ未満であるかどうかの判定がなされる（ステップ５５０）。ＴＳＮが次の期待されるＴＳＮ未満である場合には、パケットが破棄され（ステップ５５２）、受信機５０４は次のパケットを待つ（ステップ５２０）。
【００５３】
ＴＳＮが次の期待されるＴＳＮ以上である場合（ステップ５５０）、タイマＴ＿ｄｅｌｉｖｅｒが設定されているかどうかの判定がなされる（ステップ５５４）。タイマＴ＿ｄｅｌｉｖｅｒが設定されていない場合、タイマが開始され（ステップ５５６）、受信機５０４は次のパケットを待つ（ステップ５２０）。
【００５４】
タイマＴ＿ｄｅｌｉｖｅｒが既に開始されている場合（ステップ５５４）、タイマＴ＿ｄｅｌｉｖｅｒは、そのタイマＴ＿ｄｅｌｉｖｅｒが最大許容送達時間Ｔ＿ｄｅｌｉｖｅｒ＿ｔｈを超えているかどうかを判定するためにチェックされる（ステップ５５８）。タイマＴ＿ｄｅｌｉｖｅｒが期限切れになっていない場合、受信機５０４は次のパケットを待つ（ステップ５２０）。
【００５５】
タイマＴ＿ｄｅｌｉｖｅｒが期限切れになっている場合（ステップ５５８）、並べ替えバッファおよび再組み立てエンティティが、欠落しているパケットを除く全ての順次的パケットを上位レイヤに送達し、それに応じて次の期待されるＴＳＮを設定する（ステップ５６０）。タイマＴ＿ｄｅｌｉｖｅｒはゼロにリセットされ（ステップ５６２）、受信機５０４は次のパケットを待つ（ステップ５２０）。
【００５６】
あるいは、タイマＴ＿ｄｅｌｉｖｅｒが期限切れになった後に、欠落しているパケットが並べ替えバッファおよび再組み立てエンティティで受信される場合には、パケットは、実装に応じて上位レイヤに送達されることができる。パケットが無視される場合、受信機５０４は、パケットが送信機５０２において破棄されるように、その受信機５０４が（欠落しているパケットを除く）パケットを送達するときに、制御シグナリングを介して欠落しているパケットのＴＳＮを送信する。
【００５７】
代替実施形態においては、ＮＡＣＫが送られたパケットは、そのパケットが受信機５０４によって正常に受信されるまで再送され、方法５００のステップ５２０〜５６２は実行されない。
【００５８】
図６は、受信機への送信を中断および再開するための方法６００の流れ図である。最初に、中断条件が存在するかどうかの判定がなされる（ステップ６０２）。ＲＭプロセッサは、以下の条件に対して受信機へのデータ送信を中断することができる。
【００５９】
（１）最も小さなコンステレーションおよび最も高い符号化率が、受信機へのデータ送信に対して割り当てられる。
【００６０】
（２）報告されたチャネル品質インジケータ（ＣＱＩ：channel quality indicator）が所定の値未満である。ＲＭプロセッサは、データ送信が中断されるときにＣＱＩ（「中断ＣＱＩ」と呼ばれる）を保存することができる。
【００６１】
（３）送信機が、Ｎ＿ＨＡＲＱ＿ＲＥＴＸ回の再送の後、送信パケットに関するＡＣＫを受信しない。
【００６２】
（４）送信機が、アウターループのＲＭにおけるＮ＿ＲＭ＿ＲＥＴＸ回の再送の後、送信パケットに関するＡＣＫを受信しない。
【００６３】
（５）受信機に送信された所定の数の連続するパケットが、ＨＡＲＱ送信を介してＡＣＫを送られなかった。
【００６４】
（６）ＨＡＲＱ送信を介してＡＣＫを受信しないパケットの数（連続していない可能性がある）が、継続時間Ｔ＿ｓｔｏｐ中に所定の値を超える。
【００６５】
（７）ハンドオーバプロセスが始まった。
【００６６】
中断条件が存在しない場合、方法は終了する（ステップ６０４）。中断条件が存在する場合、ＲＭプロセッサは、上位レイヤに通知をして（ステップ６０６）、受信機への送信を停止するようにＨＡＲＱエンティティに通知をする（ステップ６０８）。そのとき、ＲＭプロセッサはタイマＴ＿ｓｕｓｐｅｎｄを開始し、現在のＣＱＩを保存する（ステップ６１０）。
【００６７】
中断された受信機への送信は、２つの条件のうちの１つの下で再開されることができる。タイマＴ＿ｓｕｓｐｅｎｄを、閾値Ｔ＿ｓｕｓｐｅｎｄ＿ｔｈと比較することによって、タイマＴ＿ｓｕｓｐｅｎｄが期限切れになっているかどうかの判定がなされる（ステップ６１２）。タイマＴ＿ｓｕｓｐｅｎｄが期限切れになっている場合、ＲＭプロセッサは、受信機への送信を再開するようにＨＡＲＱエンティティに通知し（ステップ６１４）、方法は終了する（ステップ６０４）。タイマＴ＿ｓｕｓｐｅｎｄが期限切れになっていない場合（ステップ６１２）、現在のＣＱＩが所定の値を超えているかどうかの判定がなされる（ステップ６１６）。所定の値は、絶対的な値であるか、または中断されたＣＱＩに関する相対的な値であることができる。
【００６８】
現在のＣＱＩが所定の値を超えている場合、ＲＭプロセッサは、受信機への送信を再開するようにＨＡＲＱエンティティに通知し（ステップ６１４）、方法は終了する（ステップ６０４）。現在のＣＱＩが所定の値未満である場合（ステップ６１６）、方法は上述のようにステップ６１２を継続する。
【００６９】
本発明の特徴および要素が好ましい実施形態において特定の組合せで説明されているが、それぞれの特徴または要素は（好ましい実施形態のその他の特徴および要素なしに）単独で、または本発明のその他の特徴および要素と様々に組み合わせて、もしくは組み合わせずに用いられることができる。
【００７０】
＜実施形態＞
１．無線通信システムにおいて送信機から受信機にパケットを送信するための方法であって、トランスポート・フォーマット・コンビネーション（ＴＦＣ）選択プロセスによってパケットを構築するステップと、送信機から受信機にパケットを送信するステップと、パケットが受信機で正常に受信されなかったことの指示を送信機で受信するステップと、ハイブリッド自動再送要求（ＨＡＲＱ）プロシージャを介して送信機から受信機にパケットを再送するステップと、ＨＡＲＱプロシージャがパケットを正常に送信しなかった場合に再送管理（ＲＭ）プロシージャを介して送信機から受信機にパケットを再送するステップと、ＲＭプロシージャがパケットを正常に送信しなかった場合に送信機によってパケットを破棄するステップとを含む、方法。
【００７１】
２．ＴＦＣ選択プロセスは、分割、連結、および複数のフローからのパケットの多重化を含む実施形態１に記載の方法。
【００７２】
３．ＲＭプロシージャは、ＴＦＣ選択プロセスを使用してパケットを再送することを含む実施形態１〜２のうちの１つに記載の方法。
【００７３】
４．ＴＦＣ選択を介してパケットを再送することは任意的ステップである実施形態３に記載の方法。
【００７４】
５．パケットは最初の送信の試みのために送信機によって送信シーケンス番号（ＴＳＮ）を割り当てられ、パケットは、ＨＡＲＱプロシージャおよびＲＭプロシージャ中、同じＴＳＮを保有する実施形態１〜４のうちの１つに記載の方法。
【００７５】
６．ＴＳＮは無線リンク制御レベルでパケットを特定する実施形態５に記載の方法。
【００７６】
７．ＴＳＮは、上位レイヤシーケンス番号と多重化されたパケットのシーケンス番号との組合せである実施形態５に記載の方法。
【００７７】
８．ＴＳＮは、上位レイヤシーケンス番号と分割されたパケットのシーケンス番号との組合せである実施形態５に記載の方法。
【００７８】
９．ＴＳＮは、上位レイヤシーケンス番号とパケットの各セグメントを特定するためのバイトオフセットとの組合せである実施形態５に記載の方法。
【００７９】
１０．破棄するステップは、送信機から受信機に、破棄されるパケットのＴＳＮを含むメッセージを送信することを含む実施形態１〜９のうちの１つに記載の方法。
【００８０】
１１．受信機は、単一の並べ替えバッファおよび再組み立てエンティティを使用してパケットを受信する実施形態１〜１０のうちの１つに記載の方法。
【００８１】
１２．ＨＡＲＱプロシージャは、パケットが受信機によって正常に受信されず、かつＨＡＲＱ再送の最大回数が所定の値未満である場合に繰り返される実施形態１〜１１のうちの１つに記載の方法。
【００８２】
１３．ＲＭプロシージャは、パケットが受信機によって正常に受信されず、かつＲＭ再送の最大回数が所定の値未満である場合にパケットを再送する実施形態１〜１２のうちの１つに記載の方法。
【００８３】
１４．ＴＦＣ選択プロセスは、適応変調および符号化スキームの選択を制御する実施形態１〜１３のうちの１つに記載の方法。
【００８４】
１５．ＴＦＣ選択プロセスは、現在のチャネルの状態に基づいてコンステレーションおよび符号化スキームを選択するための再構成要求を示す実施形態１〜１３のうちの１つに記載の方法。
【００８５】
１６．最初にパケットを送信する前に送信機において破棄タイマを設定するステップと、ＲＭを介してパケットを再送する前に送信機において破棄タイマをチェックするステップと、パケットが受信機に正常に送信される前に破棄タイマが期限切れになる場合には、送信機によってパケットを破棄するステップとをさらに含む実施形態１〜１５のうちの１つに記載の方法。
【００８６】
１７．無線通信システムにおいてパケットを受信するための方法であって、受信機でパケットを受信するステップと、並べ替えバッファおよび再組み立てエンティティにパケットを転送するステップと、パケットの送信シーケンス番号（ＴＳＮ）を調べるステップと、パケットのＴＳＮがパケットが期待される順序で受信されたことを示す場合に並べ替えバッファおよび再組み立てエンティティから上位レイヤにパケットを送達するステップと、パケットのＴＳＮがパケットが期待される順序で受信されなかったことを示す場合にパケットが受理されるべきかどうかを判定するステップと、パケットが受理される場合に並べ替えバッファおよび再組み立てエンティティから上位レイヤにパケットを送達するステップと、パケットが受理されない場合に並べ替えバッファおよび再組み立てエンティティによってパケットを破棄するステップとを含む、方法。
【００８７】
１８．判定するステップは、パケットに関連する送達タイマを使用してパケットが所定の期間内に受信されたかどうかを判定することを含む実施形態１７に記載の方法。
【００８８】
１９．送達タイマは、受信機がパケットが欠落していることを特定するときに設定される実施形態１８に記載の方法。
【００８９】
２０．最も最近受信されたパケットのＴＳＮが期待されるＴＳＮでない場合、パケットは欠落している実施形態１９に記載の方法。
【００９０】
２１．パケットが受信される前に送達タイマが期限切れになる場合はパケットが受理されない実施形態１８〜２０のうちの１つに記載の方法。
【００９１】
２２．送信機および受信機を含む、無線通信システムにおけるパケットの再送管理のためのシステム。
【００９２】
２３．送信機は、トランスポート・フォーマット・コンビネーション（ＴＦＣ）セレクタと、ＴＦＣセレクタに接続された送信バッファと、ＴＦＣセレクタおよび送信バッファに接続された第１の再送管理（ＲＭ）プロセッサと、送信バッファおよび第１のＲＭプロセッサに接続された第１のハイブリッド自動再送要求（ＨＡＲＱ）プロセッサとを含む実施形態２２に記載のシステム。
【００９３】
２４．ＴＦＣセレクタは、多重化装置と、分割および連結エンティティとを含む実施形態２３に記載のシステム。
【００９４】
２５．受信機は、第２のＨＡＲＱプロセッサと、第２のＨＡＲＱプロセッサに接続された並べ替えバッファおよび再組み立てエンティティと、並べ替えバッファおよび再組み立てエンティティに接続された第２のＲＭプロセッサとを含む実施形態２２〜２４のうちの１つに記載のシステム。
【００９５】
２６．送信機のＴＦＣセレクタ、送信バッファ、第１のＲＭプロセッサ、および第１のＨＡＲＱプロセッサは、単一の通信レイヤの一部である実施形態２２〜２５のうちの１つに記載のシステム。
【００９６】
２７．受信機の第２のＲＭプロセッサと並べ替えバッファおよび再組み立てエンティティとは、単一の通信レイヤの一部である実施形態２２〜２６のうちの１つに記載のシステム。
【００９７】
２８．送信機のＴＦＣセレクタおよび第１のＲＭプロセッサは第１の通信サブレイヤの一部であり、送信機の送信バッファおよび第１のＨＡＲＱプロセッサは第２の通信サブレイヤの一部である実施形態２２〜２７のうちの１つに記載のシステム。
【００９８】
２９．第１の通信サブレイヤは無線リンク制御サブレイヤであり、第２の通信サブレイヤは媒体アクセス制御サブレイヤである実施形態２８に記載のシステム。
【００９９】
３０．受信機の並べ替えバッファおよび再組み立てエンティティと第２のＲＭプロセッサとは第１の通信サブレイヤの一部であり、受信機の第２のＨＡＲＱプロセッサは第２の通信サブレイヤの一部である実施形態２２〜２９のうちの１つに記載のシステム。
【０１００】
３１．第１の通信サブレイヤは無線リンク制御サブレイヤであり、第２の通信サブレイヤは媒体アクセス制御サブレイヤである実施形態３０に記載のシステム。
【０１０１】
３２．無線通信システムにおいて送信機から受信機へのデータ送信を中断するための方法であって、中断条件が存在するかどうかを送信機において判定するステップと、中断条件が存在する場合に送信機から受信機へのデータ送信を中断するステップと、再開条件が存在するかどうかを受信機において判定するステップと、再開条件が存在する場合に送信機から受信機へのデータ送信を再開するステップとを含む、方法。
【０１０２】
３３．中断するステップは、上位レイヤに中断された送信を通知するステップと、受信機へのデータ送信を中断するように再送機能に通知するステップとを含む実施形態３２に記載の方法。
【０１０３】
３４．再開するステップは、受信機へのデータ送信を再開するように再送機能に通知することを含む実施形態３２〜３３のうちの１つに記載の方法。
【０１０４】
３５．受信機へのデータ送信に対して最も小さなコンステレーションおよび最も高い符号化率が割り当てられる場合に中断条件が存在する実施形態３２〜３４のうちの１つに記載の方法。
【０１０５】
３６．受信機に関する報告されたチャネル品質インジケータが所定の値未満である場合に中断条件が存在する実施形態３２〜３４のうちの１つに記載の方法。
【０１０６】
３７．ハイブリッド自動再送要求プロシージャを介した所定回数の再送の後で送信機が送信データに関する肯定応答を受信しない場合に中断条件が存在する実施形態３２〜３４のうちの１つに記載の方法。
【０１０７】
３８．再送管理プロシージャを介した所定回数の再送の後で送信機が送信データに関する肯定応答を受信しない場合に中断条件が存在する実施形態３２〜３４のうちの１つに記載の方法。
【０１０８】
３９．受信機に送信された所定の数の連続するパケットがハイブリッド自動再送要求送信を介して肯定応答を送られない場合に中断条件が存在する実施形態３２〜３４のうちの１つに記載の方法。
【０１０９】
４０．ハイブリッド自動再送要求送信を介して肯定応答を受信しないパケットの数が所定の期間中に所定の値を超える場合に中断条件が存在する実施形態３２〜３４のうちの１つに記載の方法。
【０１１０】
４１．中断するステップは、受信機に関する中断タイマを設定することを含む実施形態３２〜４０のうちの１つに記載の方法。
【０１１１】
４２．受信機に関する中断タイマが期限切れになった場合に再開条件が存在する実施形態４１に記載の方法。
【０１１２】
４３．中断ステップは、送信機において受信機に関する現在のチャネル品質インジケータ（ＣＱＩ）を保存することを含む実施形態３２〜４０のうちの１つに記載の方法。
【０１１３】
４４．中断された受信機に関する現在のＣＱＩ値が所定の値を超える場合に再開条件が存在する実施形態４３に記載の方法。
【０１１４】
４５．所定の値が絶対的な値（absolute value）である実施形態４４に記載の方法。
【０１１５】
４６．所定の値が保存されたＣＱＩ値に基づく相対的な値（relative value）である実施形態４４に記載の方法。
【０１１６】
４７．無線ネットワークにおける送信機と受信機との間のデータパケットの再送のための方法であって、再送のためのハイブリッド自動要求（ＨＡＲＱ）を送信するステップと、失敗したデータパケットが設定可能な回数のアウターループ再送によって再送されるようにアウターループ再送管理を実行するステップとを含む、方法。
【０１１７】
４８．再送管理は、適応変調および符号化スキームの選択を制御する実施形態４７に記載の方法。
【０１１８】
４９．再送管理は、ネットワークによってチャネルの状態に従って適切なコンステレーションおよび符号化スキームが選択されることができるように再構成の要求を示す実施形態４７〜４８のうちの１つに記載の方法。
【０１１９】
５０．複数のデータパケットが破棄され、方法は破棄されるパケットのステータス情報を送信するステップをさらに含み、それによって受信機は破棄されるパケットの受信を待つことなしに受信パケットを上位レイヤに送達する実施形態４７〜４９のうちの１つに記載の方法。
【０１２０】
５１．受信データパケットのステータス情報を送信するステップをさらに含む実施形態４７〜５０のうちの１つに記載の方法。
【０１２１】
５２．受信ＨＡＲＱパケットのステータス情報を送信するステップをさらに含む実施形態４７〜５１のうちの１つに記載の方法。
【０１２２】
５３．データパケットの送信バッファリングを実行するステップをさらに含む実施形態４７〜５２のうちの１つに記載の方法。
【０１２３】
５４．受信機においてデータパケットを並べ替えるステップをさらに含む実施形態４７〜５３のうちの１つに記載の方法。
【０１２４】
５５．データパケットの分割および連結を実行するステップをさらに含む実施形態４７〜５４のうちの１つに記載の方法。
【０１２５】
５６．新しいデータパケットと再送データパケットとを多重化するステップをさらに含む実施形態４７〜５５のうちの１つに記載の方法。
【０１２６】
５７．方法は媒体アクセス制御（ＭＡＣ）レイヤによって実行される実施形態４７〜５６のうちの１つに記載の方法。
【０１２７】
５８．再送管理は無線リンク制御（ＲＬＣ）レイヤで実行される実施形態４７〜５７のうちの１つに記載の方法。
【０１２８】
５９．データパケットの並べ替えは受信機のＲＬＣレイヤで実行される実施形態４７〜５８のうちの１つに記載の方法。
【０１２９】
６０．データパケットの分割および連結はＲＬＣレイヤで実行される実施形態４７〜５９のうちの１つに記載の方法。
【０１３０】
６１．データパケットの多重化はＲＬＣレイヤで実行される実施形態４７〜６０のうちの１つに記載の方法。
【０１３１】
６２．再送管理は、チャネル品質インジケータ（ＣＱＩ）の測定、および受信機からのＡＣＫ／ＮＡＣＫ応答に基づいてデータパケットの変調および符号化を変更する実施形態４７〜６１に記載の方法。
【０１３２】
６３．再送管理は失敗したパケットを直ちに再送することを決定する実施形態４７〜６２のうちの１つに記載の方法。
【０１３３】
６４．再送管理は失敗したパケットをバッファキューの最後に記憶する実施形態４７〜６２のうちの１つに記載の方法。
【０１３４】
６５．再送管理は、失敗したパケットを再送する前にチャネルの状態が改善されるのを待つ実施形態４７〜６２のうちの１つに記載の方法。
【０１３５】
６６．再送管理は、所定生存期間が経過した後、失敗したデータパケットを破棄する実施形態４７〜６２のうちの１つに記載の方法。
【０１３６】
６７．再送管理は、ＨＡＲＱを使用して所定の最大回数の再送の試みがなされた後、失敗したデータパケットを破棄する実施形態４７〜６２のうちの１つに記載の方法。
【０１３７】
６８．送信が、チャネル品質に従ってＭＡＣレイヤによって中断および再開される実施形態４７〜６７のうちの１つに記載の方法。
【０１３８】
６９．受信機は、欠落しているパケットが所定の時間で復元されなかった場合に順序通りではないデータパケットを送信する実施形態４７〜６８のうちの１つに記載の方法。
【０１３９】
７０．受信機は、順序通りではない送達および欠落しているパケットについての送信機へのステータスレポートを送信機に送信する実施形態４７〜６９のうちの１つに記載の方法。
【０１４０】
７１．時間に依存するデータパケットの再送はＨＡＲＱによって送信され、再送管理によっては送信されない実施形態４７〜７０のうちの１つに記載の方法。
【０１４１】
７２．パケットが送信機に到着する時間からのパケットの存続時間を数えるステップをさらに含む実施形態４７〜７１のうちの１つに記載の方法。
【０１４２】
７３．再送管理が受信機へのデータ送信を中断するときからの時間を数えるステップをさらに含む実施形態４７〜７２のうちの１つに記載の方法。
【０１４３】
７４．並べ替えバッファにおける欠落しているパケットの検出からの時間を数えるステップをさらに含む実施形態４７〜７３のうちの１つに記載の方法。
【０１４４】
７５．再送に関するデータパケットは、新しいデータパケットよりも高い送信スケジューリングの優先度を有する実施形態４７〜７４のうちの１つに記載の方法。
【０１４５】
７６．再送管理は、所定回数のＨＡＲＱ再送の後で送信機が送信パケットに関するＡＣＫを受信しない場合に、送信を止めるように上位レイヤに信号を送信する実施形態４７〜７５のうちの１つに記載の方法。
【０１４６】
７７．再送管理は、受信機に送信された所定の数の連続するパケットがＨＡＲＱ送信を介して肯定応答を送られなかった場合に、送信を止めるように上位レイヤに信号を送信する実施形態４７〜７５のうちの１つに記載の方法。
【０１４７】
７８．パケットの並べ替えは並べ替えバッファによって実行され、方法は、欠落しているパケットの次の後続パケットが送信バッファに到着するときからの時間を数えるステップをさらに含む実施形態４７〜７７のうちの１つに記載の方法。
【０１４８】
７９．欠落しているパケットが所定の時間内に到着しない場合に、全ての順次的パケットが上位レイヤに送達される実施形態４７〜７８のうちの１つに記載の方法。
【０１４９】
８０．所定の時間が過ぎたときに、欠落しているパケットが並べ替えバッファで正常に受信されない場合、欠落しているパケットを除く全ての順次的パケットが上位レイヤに送達される実施形態４７〜７９のうちの１つに記載の方法。
【０１５０】
８１．所定の時間の後、欠落しているパケットが並べ替えバッファで受信される場合に、当該パケットは無視されるか、または実装に応じて上位レイヤに送達されることができる実施形態４７〜７９のうちの１つに記載の方法。
【０１５１】
８２．実施形態４７〜８１のうちの１つによる方法を実行するように構成されたＷＴＲＵ。
【０１５２】
８３．実施形態４７〜８１のうちの１つによる送信機として構成されたＷＴＲＵ。
【０１５３】
８４．実施形態４７〜８１のうちの１つによる受信機として構成されたＷＴＲＵ。
【０１５４】
８５．実施形態４７〜８１のうちの１つによる方法を実行するように構成された基地局。
【０１５５】
８６．実施形態４７〜８１のうちの１つによる送信機として構成された基地局。
【０１５６】
８７．実施形態４７〜８１のうちの１つによる受信機として構成された基地局。
【０１５７】
８８．実施形態８２〜８７のうちの１つによるＷＴＲＵおよび基地局を含むシステム。
【図面の簡単な説明】
【０１５８】
【図１】現在のＷＣＤＭＡシステムのための再送プロトコルの図である。
【図２】ＲＬＣレイヤを統合したＭＡＣ＋レイヤのための再送プロトコルの図である。
【図３】ＭＡＣ＋レイヤの構成図である。
【図４】ＲＬＣサブレイヤを有するＭＡＣ＋レイヤの構成図である。
【図５Ａ】再送スキームに従う送信機および受信機の動作の流れ図である。
【図５Ｂ】再送スキームに従う送信機および受信機の動作の流れ図である。
【図６】受信機への送信を中断および再開するための方法の流れ図である。
【図１】
2009513063.tif 000003
【図２】
2009513063.tif 000004
【図３】
2009513063.tif 000005
【図４】
2009513063.tif 000006
【図５Ａ】
2009513063.tif 000007
【図５Ｂ】
2009513063.tif 000008
【図６】
2009513063.tif 000009
【手続補正書】
【提出日】平成20年6月23日(2008.6.23)
【手続補正１】
【補正対象書類名】特許請求の範囲
【補正対象項目名】全文
【補正方法】変更
【補正の内容】
【特許請求の範囲】
【請求項１】
パケットを送信するための方法であって、
複数のフローからのパケットを多重化すること、およびトランスポート・ブロック・サイズを選択することを含む、パケットを構築するステップと、
送信機から受信機に前記パケットを送信するステップと、
前記パケットが前記受信機で正常に受信されなかったことの指示を前記送信機で受信するステップと、
インナーループプロシージャであるハイブリッド自動再送要求（ＨＡＲＱ）プロシージャを介して前記パケットを再送するステップと、
前記ＨＡＲＱプロシージャが前記パケットを正常に送信しなかった場合に再送管理（ＲＭ）プロシージャを介して前記パケットを再送するステップであって、前記ＲＭプロシージャは、前記ＨＡＲＱプロシージャを失敗させたパケットを送信するためのアウターループプロシージャであり、前記ＲＭプロシージャは、前記ＨＡＲＱプロシージャからの通知を受信すると作動される、再送するステップと、
前記ＲＭプロシージャが前記パケットを正常に送信しなかった場合に前記パケットを破棄するステップと
を備えることを特徴とする方法。
【請求項２】
前記ＨＡＲＱプロシージャは、前記パケットが前記受信機によって正常に受信されず、かつＨＡＲＱ再送の回数が所定の値未満である場合に繰り返されることを特徴とする請求項１に記載の方法。
【請求項３】
前記ＲＭプロシージャは、前記パケットが前記受信機によって正常に受信されず、かつＲＭ再送の回数が所定の値未満である場合に前記パケットを再送することを特徴とする請求項１に記載の方法。
【請求項４】
トランスポート・フォーマット・コンビネーション選択プロセスは、適応変調および符号化スキームの選択を制御することを特徴とする請求項１に記載の方法。
【請求項５】
トランスポート・フォーマット・コンビネーション選択プロセスは、現在のチャネルの状態に基づいてコンステレーションおよび符号化スキームを選択するための再構成要求を示すことを特徴とする請求項１に記載の方法。
【請求項６】
トランスポート・フォーマット・コンビネーション選択プロセスは、送信時間間隔において多重化されるデータフロー、およびパケットサイズの選択を制御することを特徴とする請求項１に記載の方法。
【請求項７】
多重化装置と、分割および連結エンティティと、を含むトランスポート・フォーマット・コンビネーション（ＴＦＣ）セレクタと、
前記ＴＦＣセレクタと通信する送信バッファと、
前記ＴＦＣセレクタおよび前記送信バッファと通信する再送管理（ＲＭ）プロセッサであって、アウターループ送信プロセスを制御する、再送管理（ＲＭ）プロセッサと、
前記送信バッファおよび前記ＲＭプロセッサと通信するハイブリッド自動再送要求（ＨＡＲＱ）プロセッサであって、失敗したパケットを送信するためのインナーループ送信プロセスを制御し、インナーループ送信の失敗を前記ＲＭプロセッサに通知するように構成された、ハイブリッド自動再送要求（ＨＡＲＱ）プロセッサと
を備えることを特徴とする送信機。
【請求項８】
前記ＲＭプロセッサは第１の通信サブレイヤの一部であり、
前記ＨＡＲＱプロセッサは第２の通信サブレイヤの一部である
ことを特徴とする請求項７に記載の送信機。
【請求項９】
前記第１の通信サブレイヤは無線リンク制御サブレイヤであり、
前記第２の通信サブレイヤは媒体アクセス制御サブレイヤである
ことを特徴とする請求項８に記載の送信機。
【請求項１０】
前記パケットが受信機によって正常に受信されず、かつＨＡＲＱ送信回数が所定の値以上である場合にＨＡＲＱパケット送信の失敗が発生することを特徴とする請求項７に記載の送信機。
【請求項１１】
前記ＲＭプロセッサは、新しいパケットを構築するための指示を送信するようにさらに構成されることを特徴とする請求項７に記載の送信機。
【請求項１２】
パケットを分割することと、パケットを連結することと、複数のフローからのパケットを多重化することとのうちの少なくとも１つによって、前記新しいパケットが構築されることを特徴とする請求項１１に記載の送信機。
【請求項１３】
無線リンク制御（ＲＬＣ）ステータス・プロトコル・データ・ユニットを交換することなしにＲＬＣパケットを再送するための方法であって、
パケットがハイブリッド自動再送要求（ＨＡＲＱ）送信を介して正常に送信されなかったことの指示を送信媒体アクセス制御（ＭＡＣ）サブレイヤから受信するステップと、
前記指示されたパケットを再送することと
を含むことを特徴とする方法。
【請求項１４】
前記パケットが受信機によって正常に受信されず、かつＨＡＲＱ送信回数が所定の値以上である場合に、ＨＡＲＱパケット送信の失敗が発生することを特徴とする請求項１３に記載の方法。
【請求項１５】
パケットを分割することと、パケットを連結することと、複数のフローからのパケットを多重化することとのうちの少なくとも１つによって、前記再送パケットを構築するステップをさらに備えることを特徴とする請求項１３に記載の方法。
【請求項１６】
前記分割することは、前記送信ＭＡＣサブレイヤによって失敗したと示されたパケットを、１つまたは複数のパケットに分割することを含むことを特徴とする請求項１５に記載の方法。
【請求項１７】
前記指示されたパケットを再送するかどうかを判定すること
をさらに備えることを特徴とする請求項１３に記載の方法。
【請求項１８】
前記判定することは、パケット破棄基準を評価することに基づくことを特徴とする請求項１７に記載の方法。
【請求項１９】
前記パケット破棄基準は、再送回数であること特徴とする請求項１８に記載の方法。
【国際調査報告】
2009513063.tif 000010
2009513063.tif 000011
2009513063.tif 000012
2009513063.tif 000013
2009513063.tif 000014
2009513063.tif 000015